(57)【要約】【課題】設計上問題となる手順変更を排除した、現場での組み立て手順の変更を可能にした電子組立手順書システムを提供する。【解決手段】工場での組立作業の手順書データを編集する手順編集機能を持つサーバーと、前記サーバーにネットワークを介して接続され、前記サーバーよりの手順書データに基づいて手順書を表示するクライアントコンピュータからなり、工場での組立作業を指示する電子組立手順書システムであって、前記クライアントコンピュータが、前記サーバーより送られたオリジナル手順書データをクライアント側で変更する手順書変更手段と、前記クライアント側で変更した変更点データを前記サーバーへフィードバックする手段とを有する構成となっている。【選択図】図１
2007249870.tif 000002
【特許請求の範囲】
【請求項１】
工場での組立作業の手順書データを編集する手順編集機能を持つサーバーと、前記サーバーにネットワークを介して接続され、前記サーバーよりの手順書データに基づいて手順書を表示するクライアントコンピュータからなり、工場での組立作業を指示する電子組立手順書システムであって、
前記クライアントコンピュータが、前記サーバーより送られたオリジナル手順書データをクライアント側で変更する手順書変更手段と、前記クライアント側で変更した変更点データを前記サーバーへフィードバックする手段とを有することを特徴とする電子組立手順書システム。
【請求項２】
前記クライアントコンピュータが、さらに、前記クライアント側で変更した変更点を前記サーバーへフィードバックした後、前記変更点データをロックすると共に、前記サーバーより手順書データを受け取った場合に前記ロックをクリアする手段を有することを特徴とする請求項１に記載の電子組立手順書システム。
【請求項３】
前記変更点データが、オリジナル手順データと変更後の手順書データの差を記述するために、行入替対象行と入替後の内容、行削除対象行、行追加対象位置と追加行内容との３種のデータの集合で構成されるフォーマットからなることを特徴とする請求項１に記載の電子組立手順書システム。
【請求項４】
前記クライアントコンピュータが、さらに、前記変更点データから、入替、削除、追加の情報を利用して、オリジナルの前記手順書データから、変更後の手順データを再現する機能を有する変更情報反映手段を有することを特徴とする請求項３に記載の電子組立手順書システム。
【請求項５】
請求項１に記載の電子組立手順書システムのクライアントコンピュータにおいて、前記手順書変更手段および前記フィードバック手段を実現させるためのプログラムを記憶した記憶媒体。
【発明の詳細な説明】
【技術分野】
【０００１】
この発明は、工場生産のＩＴ化にともなって、機械などの組み立て工場での組立作業を指示する電子組立手順書システムに関し、特に、設計上問題となる手順変更を排除した、現場での組み立て手順の変更を可能にした電子組立手順書システムに関するものである。
【背景技術】
【０００２】
一般に、工場生産のＩＴ化にともなって、機械などの組み立て工場においても組み立て手順書も電子化が行われている。
なお、これについての従来の発明としては、特許文献１として、標準化された標準語句により記述された作業標準とその作業標準に対応する工数とからなる多数の対が前もって登録され、読み出し可能に構成された標準工数データベースを備え、工数を付与すべき対象である対象作業標準の各々について、その対象作業標準の語句と前記標準工数データベース内の作業標準の標準語句とのマッチングをとり、前記データベース内のマッチした作業標準の標準工数を、当該対象作業標準の工数として設定し、設定された工数ファイルを出力する工数自動設定システムの技術が開示されている。
【０００３】
特許文献２として、作業標準を、動作句と目的句とコメント句とで記述することにより各作業標準データを作成する作業標準作成サブシステムと、各レコードが同じように記述された作業標準とその作業標準の標準工数とからなる標準工数データベースと、作業標準作成サブシステムからダウンロードした複数の作業標準群の各々に対して、前記標準工数データベースの各レコードの句部分を参照しながらマッチング検索を行い、検索された作業標準の標準工数を、設定工数として割り付ける標準工数設定サブシステムと、編成条件のデータを入力可能な作業割付サブシステムであって、前記標準工数設定サブシステムから工数データ付きの作業標準群をダウンロードし、この作業標準群の作業標準をユーザが入力した編成条件に基づいて複数のステーションに分割編成する作業割付サブシステムとからなる組立情報管理システムの技術が開示されている。
【０００４】
特許文献３として、各作業標準に関わる作業を、その作業の動作を表す１つの動作句と、その動作の対象を表す１つの目的句と、動作及び／または目的に関する補助的情報を表す１つのコメント句とで記述して入力し、各作業標準について入力された３つの句データを識別子と共にメモリに記憶する技術が開示されている。
【０００５】
特許文献４として、生産ラインにおける一連の作業の流れを順に記述したアニメーションを本支援システムを利用してユーザがティーチングするのに応じて、本支援システムは、記述されたアニメーションに基づいて各作業に伴う作業者の動作の分析を自動的に行い、その分析結果に基づいて各動作に必要な工数を設定し、更に本支援システムは、動作毎に設定した工数を積み上げる（積算する）ことにより、ユーザが目的としている（注目している）一連の作業に対して、標準工数（複数の作業工程からなる生産ラインのある一工程における作業単位）を決定する技術が開示されている。
【０００６】
特許文献５として、部品を受入検査して得られた受入時部品品質情報を検査部門のコンピュータから受入検査結果データベースに記録するとともに、部品を用いて製品を製造する際に発生した製造時部品品質情報を製造部門のコンピュータから受入検査結果データベース５５に記録しておき、受入検査結果データベースに対してアクセスがあったとき、受入時部品品質情報と製造時部品品質情報とをリンクさせて表示画面に表示する技術が開示されている。
【特許文献１】特開２００１−１９５１１５公報
【特許文献２】特開２００１−１９５４６２公報
【特許文献３】特開２００１−１９５４６３公報
【特許文献４】特開２００１−２０７５１１公報
【特許文献５】特開２００３−１２２８１７公報
【発明の開示】
【発明が解決しようとする課題】
【０００７】
しかしながら、工場の組み立て作業現場では、製品の立ち上げ時に決定された組み立て手順の通りに作業が行われることはまれで、立ち上げ後の現場の改良作業により、しばしば組み立て手順に変更がなされる。
また、作業で注意すべき点は、作業中に判明することが多い。この注意すべき点をも手順書に載せるべきであり、このように、作業現場で得られた情報を作業手順書に反映することが必要となる。この反映作業は、作業現場だけで行う方が効率的である。
【０００８】
しかし、組立作業現場だけでは、設計上変えてはならない工程かどうかはわからない。
従って、従来の技術では、手順書の改定を行う手段はあっても、現場の側での修正を管理側で制御することはできないか、管理側ですべての修正を行う必要があるという問題点があった。
本発明は、従来の問題点を解決するためになされたものであって、設計上問題となる手順変更を排除し、現場での組み立て手順の変更を可能にした電子組立手順書システムを提供することである。
【課題を解決するための手段】
【０００９】
上述の目的を達成するために、請求項１記載の発明は、工場での組立作業の手順書データを編集する手順編集機能を持つサーバーと、前記サーバーにネットワークを介して接続され、前記サーバーよりの手順書データに基づいて手順書を表示するクライアントコンピュータからなり、工場での組立作業を指示する電子組立手順書システムであって、前記クライアントコンピュータが、前記サーバーより送られたオリジナル手順書データをクライアント側で変更する手順書変更手段と、前記クライアント側で変更した変更点データを前記サーバーへフィードバックする手段とを有することを特徴とする。
また、請求項２記載の発明は、前記クライアントコンピュータが、さらに、前記クライアント側で変更した変更点を前記サーバーへフィードバックした後、前記変更点データをロックすると共に、前記サーバーより手順書データを受け取った場合に前記ロックをクリアする手段を有することを特徴とする。
【００１０】
また、請求項３記載の発明は、前記変更点データが、オリジナル手順データと変更後の手順書データの差を記述するために、行入替対象行と入替後の内容、行削除対象行、行追加対象位置と追加行内容との３種のデータの集合で構成されるフォーマットからなることを特徴とする。
また、請求項４記載の発明は、前記クライアントコンピュータが、さらに、前記変更点データから、入替、削除、追加の情報を利用して、オリジナルの前記手順書データから、変更後の手順データを再現する機能を有する変更情報反映手段を有することを特徴とする。
また、請求項５記載の発明は、前記クライアントコンピュータにおいて、前記手順書変更手段および前記フィードバック手段を実現させるためのプログラムを記憶した記憶媒体を特徴とする。
【発明の効果】
【００１１】
本発明による電子組立手順書システムによれば、オリジナルの手順書とクライアントＰＣ内での変更点を分離することができ、現場のクライアントＰＣ上での工程の変更が可能であり、さらに工程管理者の確認ができ、クライアントＰＣ間の食い違いを防ぐことができる。
【発明を実施するための最良の形態】
【００１２】
以下に添付の図を参照してこの発明の実施形態を詳細に説明する。
図１は、本発明による電子組立手順書システムの一実施形態の概略図である。
図１に示すように、この電子組立手順書システムは、工場での組立作業の手順書データを編集する手順編集装置２を持つサーバー１と、サーバー１にネットワーク３を介して接続され、サーバー１よりの手順書データに基づいて作業現場で利用される手順書を表示する手順書表示装置４を持つクライアントコンピュータ（ＰＣ）５からなる。
ここで、サーバー１は作業現場にあってもよいし、ネットワーク３で各クライアントＰＣ５と接続されていれば別の場所にあってもよく、クライアントＰＣ５は通常複数台からなる。
【００１３】
サーバー１上にある手順書の組み立て工程は、このサーバー１が扱うすべての工程からなり、この手順書データは各クライアントＰＣ５上にそのままコピーされるが、クライアントＰＣ５上の手順書表示装置４でその作業者の工程だけが選択表示される。
サーバー１上に常時あるデータは、「オリジナル手順書６」と「オリジナルマルチメディアマテリアル７」である。さらにデータ更新前には、各クライアントＰＣ５から送られてくる、「手順書変更点８」と「追加・入れ替えマルチメディアマテリアル９」とが追加される。
【００１４】
ここで、手順書は１つのテキストファイルであり、マルチメディアマテリアルは、画像、動画、音声などのファイルよりなる。
一方、クライアントＰＣ５上には、サーバー１からコピーされてくる「オリジナル手順書１０」と「オリジナルマルチメディアマテリアル１１」および、そのクライアントＰＣ５での変更点データである、「手順書変更点８」と「追加・入れ替えマルチメディアマテリアル９」よりなる。
従って、クライアントＰＣ５上の装置は、手順書を表示するための手順書表示装置４と、手順書を変更するための手順書変更装置１２と、手順書をコピーするための手順書コピー装置１３との３つよりなる。
【００１５】
次に、クライアントＰＣ５上にある手順書表示装置４の内部構成について説明する。図２は、クライアントＰＣ５上にある手順書表示装置４の内部構成図である。
図２に示すように、手順書表示装置４は、変更情報反映部１４と表示制御部１５よりなり、「オリジナル手順書６」と「手順書変更点８」のデータが、変更情報反映部１４に入力されて、変更点が反映された手順書データを装置の内部的に得ることができる。すなわち、変更情報反映部１４が、変更点データから、入替、削除、追加の情報を利用して、オリジナルの手順書データから、変更後の手順データを再現する機能を有している。
この変更点後反映後の手順書データが、表示制御部１５に送られ、その手順書データで参照されているマルチメディアのデータが、さらに表示制御部１５に送られる。
表示制御部１５では、さらに、全工程のなかのこのクライアントＰＣで作業される工程を選択することと、表示装置ユーザからのオペレーション１７が入力され、再生表示部１６における表示に反映される。
本実施形態では、手順データとしてコンマ区切りのテキストを用いており、テキスト行の順番は手順の順番に一致している。
【００１６】
図３は、本実施形態における手順データの行のフォーマットを示す図である。また、図４は、本実施形態における手順データの部分の例を示す図である。また、図５は、図４に示した手順データを修正したものを示す図である。
図５に示すように、修正内容を先頭の番号で示すと、２０の一部の内容が入れ替わり、６５の内容が追加されている。また８０と９０の順番が入れ替わっている。
これらすべての変更点情報のデータを示すと図６のようになる。図６は、図５に示した修正内容に基づく変更点情報データを示す図である。
【００１７】
図６に示すように、オリジナル手順データと変更後の手順書データの差を記述するために、行入替対象行と入替後の内容、行削除対象行、行追加対象位置と追加行内容、との３種のデータの集合で構成されるフォーマットよりなっている。
図７は、この変更点情報のフォーマットとその例を示す図である。
図８は、手順書表示装置４の変更情報反映部１４の変更点情報データの個々の情報に対する動作フローチャートである。ここでは、情報の種類に応じて処理を行っている。
すなわち、ステップ１０１において、行入替対象行指示が否かが判定され、行入替対象行指示の場合、行入替内容に入れ替え（ステップ１０２）、行入替対象行指示でない場合、追加対象行指示が否かが判定される（ステップ１０３）。追加対象行指示の場合、追加行内容を挿入し（ステップ１０４）、追加対象行指示でない場合、削除対象行指示が否かが判定される（ステップ１０５）。削除対象行指示の場合、対象行を削除し（ステップ１０６）、削除対象行指示でない場合、処理を終了する。
【００１８】
図９は、クライアントＰＣ５上にある手順書変更装置１２の内部構成図である。この手順書変更装置１２は、手順書のテキストデータを手順書のフォーマットに準じて編集するようになっている。
本実施形態では、手順書変更装置１２は、工程入れ替え部１８、工程追加部１９、工程内編集部２０、オリジナル相違抽出部２１からなり、オリジナル手順書１０を内部に入力して編集した内部データ２２を、オリジナル１０と比較し、相違点を抽出し、表示装置の入力データとしている。なお、マルチメディアデータの参照の変更は、工程内編集部で、手順書でマルチメディアデータを参照している部分を変更することで実現する。
【００１９】
図１０は、クライアントＰＣ５上にある手順書コピー装置１３の内部構成図である。
この手順書コピー装置１３は、送信複写部２４、受信複写部２５、変更ロック・クリア部２６からなる。送信複写部２４でサーバー１に変更点をフィードバック送信した後は、受信複写部２５で、更新されたオリジナルをサーバー１から受け取るまで変更にはロックがかかり手順書の変更はできない。また、受信複写部２５で更新されたオリジナルを受け取ると、変更データはクリアされる。
【００２０】
図１１は、サーバー１上にある手順書編集装置２の内部構成図である。
この手順書編集装置２はオリジナルデータを編集するためのもので、齟齬検出部２８では各クライアントＰＣ５から送られてくる変更データのうち、互いに食い違いの生じた変更点を検出し、齟齬選択部２９では、齟齬検出部２８で検出された食い違いのなかで、どの変更を採用するかを、ユーザの指定によって選択し、変更反映部３０は、齟齬のない変更データから、問題のない変更をユーザの指定で選択し、それを反映したものでオリジナルを更新する。
【００２１】
次に、図１２を参照して、電子組立手順書システムの運用シーケンスについて説明する。図１２は、図１に示した電子組立手順書システムの運用シーケンスを示す図である。
図１２に示すように、まず、クライアントＰＣの起動時（Ａ）に、手順書コピー装置１３でサーバー１から更新されたオリジナル手順書（Ｂ）をコピーして（Ｃ）、さらにクライアントＰＣで持っていた変更データをクリアする（Ｄ）。
オリジナルのコピー後はクライアントＰＣ５側で、手順書変更装置１２を用いて変更を行う（Ｅ）。
クライアントＰＣ５の動作終了前に、手順書コピー装置１３でサーバー１にフィードバックするために変更データをコピーし（Ｆ）、さらにクライアントＰＣ５での変更データを変更できないようにロックする（Ｇ）。これにより、サーバー１とクライアントＰＣ５のデータの食い違いをなくする。
【００２２】
全稼動クライアントＰＣ５からのサーバー１への変更点コピーのフィードバック（Ｈ）終了後、サーバー１では手順書編集装置２で、クライアントＰＣ５間の食い違いを排除した変更点を、さらに工程管理者が問題ないと判断したものをオリジナルデータに反映するため更新する（Ｉ、Ｊ）。
以上の運用を繰り返して行う。
【００２３】
以上のように、コンピュータとしてサーバーとクライアントＰＣを使い、クライアントＰＣ上には変更点情報を持つことで、適当なタイミングで、工程管理者によって変更点情報をサーバー上に取り入れることで、変更点をオリジナルに反映することを可能にする。さらにオリジナルの更新は工程管理者が行うことで、設計上問題となる手順変更を排除することが可能になる。
【図面の簡単な説明】
【００２４】
【図１】本発明による電子組立手順書システムの一実施形態の概略図である。
【図２】クライアントＰＣ５上にある手順書表示装置４の内部構成図である。
【図３】本実施形態における手順データの行のフォーマットを示す図である。
【図４】本実施形態における手順データの部分の例を示す図である。
【図５】図４に示した手順データを修正したものを示す図である。
【図６】図５に示した修正内容に基づく変更点情報データを示す図である。
【図７】変更点情報のフォーマットとその例を示す図である。
【図８】手順書表示装置４の変更情報反映部１４の変更点情報データの個々の情報に対する動作フローチャートである。
【図９】クライアントＰＣ５上にある手順書変更装置１２の内部構成図である。
【図１０】クライアントＰＣ５上にある手順書コピー装置１３の内部構成図である。
【図１１】サーバー１上にある手順書編集装置２の内部構成図である。
【図１２】図１に示した電子組立手順書システムの運用シーケンスを示す図である。
【符号の説明】
【００２５】
１…サーバー、２…手順書編集装置、３…ネットワーク、４…手順書表示装置、５…クライアントＰＣ、６…オリジナル手順書、７…オリジナルマルチメディアマテリアル、８…手順書変更点、９…マルチメディアマテリアル、１０…オリジナル手順書、１１…オリジナルマルチメディアマテリアル、１２…手順書変更装置、１３…手順書コピー装置、１４…変更情報反映部、１５…表示制御部、１６…再生表示部、１７…オペレーション、１９…工程追加部、２０…工程内編集部、２１…オリジナル相違抽出部、２２…内部データ、２４…送信複写部、２５…受信複写部、２６…変更ロック・クリア部、２８…齟齬検出部、２９…齟齬選択部、３０…変更反映部
【図１】
2007249870.tif 000003
【図２】
2007249870.tif 000004
【図３】
2007249870.tif 000005
【図４】
2007249870.tif 000006
【図５】
2007249870.tif 000007
【図６】
2007249870.tif 000008
【図７】
2007249870.tif 000009
【図８】
2007249870.tif 000010
【図９】
2007249870.tif 000011
【図１０】
2007249870.tif 000012
【図１１】
2007249870.tif 000013
【図１２】
2007249870.tif 000014